(57)【特許請求の範囲】
【請求項１】
搬送方向に長く形成した機筐１の一端または中間上方位置の供給部２から該供給部２の他端側の排出部６へ供給された搬送物を搬送する搬送コンベア７を設け、該搬送コンベア７のチェン１３を掛け回す従動スプロケット８は、前記機筐１に対して前後移動自在のテンション調節機構Ｔの一対の前後移動板１７に従動軸９により取付け、前記一対の前後移動板１７には前記従動スプロケット８の後方および下方に所定間隔を置いて位置して前記搬送コンベア７の搬送する穀粒を案内する左右方向の穀粒案内部３０を共に移動するように取付け、前記穀粒案内部３０は、前記従動スプロケット８の後方および下方に所定間隔を置いて位置する左右方向の円弧状の穀粒案内板部３１と、該穀粒案内板部３１の左右側に機筐１の機筐側板１５の内面と平行に設けた取付板部３２とにより構成し、前記穀粒案内板部３１の上部に全幅に渡って上部ガイド部３８を設け、該上部ガイド部３８は前記機筐１の内側上面に当接する上面３８Ａと該上面３８Ａに続いて前記穀粒案内板部３１の上部に一体状に連設する縦面３８Ｂとにより構成し、前記上部ガイド部３８の前記上面３８Ａおよび縦面３８Ｂの左右両側には前記取付板部３２を一体状に連設し、前記穀粒案内部３０の案内部下縁３３を前記機筐１の機筐底板３４に当接させると共に、前記上部ガイド部３８の上面３８Ａを前記機筐１の内側上面に当接させた横送り搬送装置。
【請求項２】
請求項１において、前記穀粒案内部３０の各取付板部３２の取付板部下縁３７は機筐１の機筐底板３４の上面に当接させた横送り搬送装置。
【請求項３】
請求項１または請求項２において、前記穀粒案内部３０は、前記上部ガイド部３８の前記上面３８Ａおよび縦面３８Ｂの左右両側を前記取付板部３２と一体状に連設して、前記穀粒案内板部３１と前記取付板部３２と上部ガイド部３８とにより箱形状に形成した横送り搬送装置。
【請求項４】
請求項１〜請求項３の何れか１項において、前記穀粒案内部３０は、穀粒案内板部３１と前記取付板部３２と上部ガイド部３８とにより箱形状に形成すると共に、前記取付板部３２は前記機筐側板１５の内面に摺接するように構成した横送り搬送装置。
【請求項５】
請求項１〜請求項４の何れか１項において、前記穀粒案内部３０は、前記従動スプロケット８の後方および下方に所定間隔を置いて位置する左右方向の穀粒案内板部３１の左右側に機筐１の機筐側板１５と平行な取付板部３２を設けて形成し、該取付板部３２の前記従動軸９を基準に上下二か所には前記前後移動板１７に係合する連動ピン３５を設けた横送り搬送装置。
【発明の詳細な説明】
【０００１】
【発明が属する技術分野】
本発明は、穀粒等の搬送物の搬送する横送り搬送装置の、特に従動スプロケットの周囲に設けた穀粒案内部の取付および移動に関するものである。
【０００２】
【従来の技術】
従来公知の、実開平７−３０２１８号公報には、搬送方向に長く形成した機筐に搬送コンベアを設け、該搬送コンベアのチェンを掛け回す従動スプロケットは、前記機筐に対して調節螺子軸により前後移動自在の前後移動板に従動軸により取付け、左右の前後移動板に設けたガイドピンを前記機筐の機筐側板の案内長孔に係合させ、前記従動スプロケットの後方および下方に所定間隔を置いて位置する左右方向の穀粒案内板部の後面中央に機筐の機筐底板に摺接する補強金具を設け、該補強金具に左右方向の連結軸を設け、この連結軸を前後移動板に取付けた構成について記載されている。
【０００３】
【発明が解決しようとする課題】
前記公知例は、単に、平面あるいは正面視において四角形状の穀粒案内板部に、補強金具を設けただけであるので、穀粒案内部としての剛性が充分でなく、例え、機筐底板に摺接する補強金具を設けても、チェンのテンション調節に伴う移動の際、変形や捻じれが発生する惧れがあるという課題がある。
また、公知例は、補強金具は、穀粒や塵埃が堆積している機筐底板に摺接させて移動するため、機筐底板上の異物を咬み込んで円滑に移動できないことがあるという課題もある。
また、公知例は、従動スプロケットの下方を円弧状に包囲する穀粒案内部の更に下方に補強金具を設けるので、組立てが容易でなく、組立て精度を向上させるのも案外面倒である。
また、公知例は、左右の前後移動板に設けたガイドピンを前記機筐の機筐側板の案内長孔に係合させているため、穀粒案内部および補強金具の案内には、直接作用せず、組立てが面倒であるだけで、穀粒案内部の移動に伴う変形や捻じれの発生には対応していないという課題がある。
本願は、穀粒案内部の形状を工夫し、テンション調節に伴う移動の際、変形や捻じれを防止する剛性を向上させ、また、取付を容易にして、コストを低くしたものである。
【０００４】
【発明の目的】
穀粒案内部の剛性の向上、変形や捻じれの防止・抑制、組立て取付けの容易化、低コスト化。
【０００５】
【課題を解決するための手段】
本発明は、搬送方向に長く形成した機筐１の一端または中間上方位置の供給部２から該供給部２の他端側の排出部６へ供給された搬送物を搬送する搬送コンベア７を設け、該搬送コンベア７のチェン１３を掛け回す従動スプロケット８は、前記機筐１に対して前後移動自在のテンション調節機構Ｔの一対の前後移動板１７に従動軸９により取付け、前記一対の前後移動板１７には前記従動スプロケット８の後方および下方に所定間隔を置いて位置して前記搬送コンベア７の搬送する穀粒を案内する左右方向の穀粒案内部３０を共に移動するように取付け、前記穀粒案内部３０は、前記従動スプロケット８の後方および下方に所定間隔を置いて位置する左右方向の円弧状の穀粒案内板部３１と、該穀粒案内板部３１の左右側に機筐１の機筐側板１５の内面と平行に設けた取付板部３２とにより構成し、前記穀粒案内板部３１の上部に全幅に渡って上部ガイド部３８を設け、該上部ガイド部３８は前記機筐１の内側上面に当接する上面３８Ａと該上面３８Ａに続いて前記穀粒案内板部３１の上部に一体状に連設する縦面３８Ｂとにより構成し、前記上部ガイド部３８の前記上面３８Ａおよび縦面３８Ｂの左右両側には前記取付板部３２を一体状に連設し、前記穀粒案内部３０の案内部下縁３３を前記機筐１の機筐底板３４に当接させると共に、前記上部ガイド部３８の上面３８Ａを前記機筐１の内側上面に当接させた横送り搬送装置としたものである。
本発明は、前記穀粒案内部３０の各取付板部３２の取付板部下縁３７は機筐１の機筐底板３４の上面に当接させた横送り搬送装置としたものである。
本発明は、前記穀粒案内部３０は、前記上部ガイド部３８の前記上面３８Ａおよび縦面３８Ｂの左右両側を前記取付板部３２と一体状に連設して、前記穀粒案内板部３１と前記取付板部３２と上部ガイド部３８とにより箱形状に形成した横送り搬送装置としたものである。
本発明は、前記穀粒案内部３０は、穀粒案内板部３１と前記取付板部３２と上部ガイド部３８とにより箱形状に形成すると共に、前記取付板部３２は前記機筐側板１５の内面に摺接するように構成した横送り搬送装置としたものである。
本発明は、前記穀粒案内部３０は、前記従動スプロケット８の後方および下方に所定間隔を置いて位置する左右方向の穀粒案内板部３１の左右側に機筐１の機筐側板１５と平行な取付板部３２を設けて形成し、該取付板部３２の前記従動軸９を基準に上下二か所には前記前後移動板１７に係合する連動ピン３５を設けた横送り搬送装置としたものである。
【０００６】
【実施例】
本発明の一実施例を図により説明すると、１は横送り搬送装置の機筐であり、搬送方向に長く形成する。該機筐１の一端側上方位置に供給部２を設け、他端には落口５を有する排出部６を設ける。
この場合、供給部２は１個または複数を中間部に設けてもよく、同様に他端の排出部６以外にも中間部に１個または複数の排出部６を設けてもよく、中間の排出部６には落口５を開閉させるシャッター（図示省略）を設ける。
前記供給部２の供給口（図示省略）と他端の排出部６の間の機筐１内には、搬送コンベア７を設ける。説明の都合上搬送コンベア７の搬送方向を前後方向とすると、搬送コンベア７は、前記供給部２の後部の機筐１内に従動スプロケット８を従動軸９により軸装する。前記終端の排出部６より手前側の機筐１内に駆動スプロケット１０を駆動軸１１により軸装する。この従動スプロケット８と駆動スプロケット１０の間に複数の搬送体１２を所定間隔を置いて設けたチェン１３を掛け回す。
【０００７】
前記搬送体１２は、供給部２の手前側（後側）より供給部２へ向かって移動することにより、搬送を確実にしている。
前記従動軸９の左右両端は、機筐１の左右機筐側板１５に形成した前後方向に長い従動軸案内長孔１６より左右側に突出させる。従動軸案内長孔１６より突出する従動軸９の左右両端は、左右一対の前後移動する前後移動板１７に夫々軸受部材１８を介して取付ける。
前後移動板１７は縦板状に形成し、機筐側板１５に対して任意の構成で前後に移動するように取付ける。実施例では、機筐側板１５の側部に「コの字」形状の移動板取付用側板１９を固定し、移動板取付用側板１９の上下屈曲部に案内部材２０を固定し、案内部材２０と移動板取付用側板１９の間に案内溝２１を形成し、上下の案内溝２１の夫々に前後移動板１７の上下縁を嵌合させて取付けているが、前後移動板１７側に溝を形成して機筐側板１５にレールを設けてもよい。
【０００８】
前記前後移動板１７の取付部２６には前後方向の調節螺子軸２５の先端（後端）を回転のみ自在に取付け、調節螺子軸２５の基部（前側）は前記機筐側板１５側に設けた取付部２７のナット２８に螺合させ、調節螺子軸２５を回転させると、前後移動板１７が前後に移動するように構成する。
この場合、調節螺子軸２５の軸心と従動軸９の移動を案内する従動軸案内長孔１６とは、側面視略同一線上に位置するようにし、また、調節螺子軸２５は従動軸９を押すことによりチェン１３を緊張させるように配置する。
即ち、チェン１３の緊張程度を調節するテンション調節機構Ｔの調節螺子軸２５の軸心と従動軸案内長孔１６とを側面視略同一線上に位置させることにより、調節螺子軸２５による力を従動軸９に的確に伝えて捻じれることなく円滑・確実移動させ、また、調節螺子軸２５は従動軸９に対して搬送方向の終端側（前側）に位置し、搬送方向の始端側に調節螺子軸２５を移動させて従動軸９を押すことによりチェン１３が緊張するようにし、調節螺子軸２５は設置スペースおよび移動スペースを側面視機筐１と重合する範囲として機筐１の始端より後側に突き出させず、これにより機筐１の設置スペースを小さくしている。
【０００９】
しかして、前記従動スプロケット８の後方および下方には、従動スプロケット８へ向かって移動する上行きの搬送体１２に当たって、従動スプロケット８へ向かって移動してしまう穀粒を、他端へ向けて案内する穀粒案内部３０を設ける。穀粒案内部３０は、左右方向で一部円弧形状に湾曲させて従動スプロケット８の後方および下方に所定間隔を置いて位置する穀粒案内板部３１と、該穀粒案内板部３１の左右側に機筐側板１５と平行に設けた取付板部３２とにより構成する。穀粒案内板部３１は、従動スプロケット８の下方では円弧形状に形成し、穀粒案内板部３１の案内部下縁３３は機筐１の機筐底板３４の上面に当接させる。
【００１０】
穀粒案内部３０は、取付板部３２を機筐側板１５の内側に位置させ、機筐側板１５の外側に位置する前記前後移動板１７と連動するように、ピンあるいはボルト・ナット等の連動ピン３５により互いに連結して機筐１に取付ける。
即ち、取付板部３２と前後移動板１７は、機筐側板１５を左右側から挟持するように位置させ、取付板部３２と前後移動板１７の夫々の上下二か所を連動ピン３５により互いに連結して取付ける。
連動ピン３５は、機筐側板１５に設けたガイド案内用長孔３６に前後移動自在に挿通し、穀粒案内部３０の移動を案内するのみならず、前後移動板１７の移動を案内するガイド体を兼用させている。
前記取付板部３２は、穀粒案内板部３１の案内部下縁３３から手前側に向けて穀粒案内板部３１の側縁に設け、かつ、所定長さ後側に位置させ、また、取付板部３２の取付板部下縁３７はその全長に亘って機筐底板３４の上面に当接させる。
【００１１】
しかして、前記穀粒案内部３０の左右の取付板部３２の間の上部には全幅に渡って上部ガイド部３８を設ける。上部ガイド部３８は前後（穀粒案内部３０の移動方向）に所定の幅を有して形成し、穀粒案内部３０の穀粒案内板部３１の案内部下縁３３および取付板部３２の取付板部下縁３７が機筐１の機筐底板３４上に当接した状態で機筐１の上面内側に当接させる。
したがって、穀粒案内部３０は、案内部下縁３３および取付板部下縁３７と、上部ガイド部３８により案内されて前後移動する。
それゆえ、実施例では、上部ガイド部３８が当接する機筐１の上面内側は、蓋部材または天板３９の下面となる。
また、穀粒案内部３０は、その取付板部３２を前記機筐側板１５の内面に摺接させると、取付板部３２の面接触部分によっても移動案内作用を期待できる。
図中、４０はモーターである。
【００１２】
【作用】
次ぎに作用を述べる。
モーター４０に通電すると、駆動スプロケット１０が回転し、駆動スプロケット１０はチェン１３を回転させて搬送体１２を機筐１の始端部より終端部に移動させる。
この状態で、供給部２に搬送物を供給すると、搬送物は供給部２から機筐１内に入り、移動する搬送体１２により機筐底板３４上に沿って終端に向けて搬送される。
しかして、前記チェン１３は、機筐１内に駆動スプロケット１０と従動スプロケット８との間に掛け回されており、チェン１３が緩むと、従動スプロケット８の従動軸９を移動させて緊張させる。
【００１３】
従動スプロケット８の従動軸９の左右両端は、機筐１の機筐左右側板１５に形成した前後方向に長い従動軸案内長孔１６より左右側に突出させ、従動軸９の左右両端には機筐１に対して前後移動する前後移動板１７を取付け、前後移動板１７には前後方向の調節螺子軸２５の先端を回転のみ自在に取付け、調節螺子軸２５の基部は前記機筐側板１５側に設けた取付部２７に螺合させているから、調節螺子軸２５を回転させると、前後移動板１７が移動してチェン１３を緊張させる。
この場合、調節螺子軸２５は従動軸９を押すことによりチェン１３を緊張させるように配置しているから、調節螺子軸２５は側面視機筐１の始端より後側に突き出させず、機筐１の設置スペースを小さくしている。
【００１４】
しかして、従動スプロケット８の後方および下方には供給部２より供給された穀粒を案内する穀粒案内部３０を設け、穀粒案内部３０は従動スプロケット８の後方および下方に位置する左右方向であって一部円弧状に湾曲している穀粒案内板部３１と該穀粒案内板部３１の左右側の機筐側板１５と平行の取付板部３２とを有して構成しているから、前後移動板１７と取付板部３２とは機筐側板１５を左右側から挟持させてピンあるいはボルト・ナット等の連動ピン３５により互いに連結すればよく、取付が容易になる。
この場合、機筐側板１５を挟んで前後移動板１７と取付板部３２を位置させ、取付板部３２に設けた連動ピン３５を前後移動板１７に係合させ、連動ピン３５は機筐側板１５に設けたガイド案内用長孔３６に前後移動自在に挿通し、連動ピン３５により前後移動板１７と取付板部３２とは共に移動するので、連動ピン３５は前後移動板１７の移動も案内するガイド体を兼用させている。
したがって、部品点数および組立工数を少なくして、コストを低くする。
【００１５】
しかして、穀粒案内部３０の左右の取付板部３２の間の上部には上部ガイド部３８を設け、上部ガイド部３８は前後に所定の幅を有しており、穀粒案内部３０の案内部下縁３３が機筐１の機筐底板３４上に当接した状態で機筐１の上側内面（蓋部材または天板３９の下面）に当接しているから、調節螺子軸２５により従動軸９を前後移動させてチェン１３の張り具合を調節するとき、穀粒案内部３０は、上部ガイド部３８と案内部下縁３３の上下両面により案内されて前後移動する。
したがって、穀粒案内部３０の案内部下縁３３は機筐１の機筐底板３４の上面に常時接触して摺接移動し、穀粒案内部３０の一部または全部が移動による捻じれ湾曲変形を抑制あるいは防止する。
【００１６】
この場合、穀粒や塵埃等が存在する機筐底板３４には案内部下縁３３が当接し、上部ガイド部３８は穀粒や塵埃等が堆積しない天板３９に摺接させるから、穀粒案内部３０の移動は頗る円滑になる。
また、穀粒案内板部３１の取付板部下縁３７も機筐底板３４上を摺動するから、穀粒案内部３０の左右側も案内されて、一層、穀粒案内部３０の移動に伴う変形を防止する。また、穀粒案内板部３１は機筐底板３４の左右両側を移動するので、案内部下縁３３と合わせた接触面積は少なく、穀粒や塵埃等の存在からの影響を受けずに、穀粒案内部３０の移動を案内する。
【００１７】
また、穀粒案内部３０は、その取付板部３２を前記機筐側板１５の内面に摺接させているから、取付板部３２と機筐側板１５の面接触部分によっても移動案内作用を奏し、一層安定して移動し、穀粒案内部３０の移動に伴う変形を防止する。
しかして、穀粒案内部３０は、穀粒案内板部３１と、左右の取付板部３２と、上部ガイド部３８とにより箱形状に形成しているから、強度を向上させ、移動の際の変形を抑制する。また、穀粒案内板部３１の案内部下縁３３と、左右の取付板部３２の外面と、取付板部３２の取付板部下縁３７と、上部ガイド部３８との夫々が機筐１の内面に摺接するから、一層、移動の際の変形を抑制し、合理的な構成となる。
【００１８】
【発明の効果】
本発明は、搬送方向に長く形成した機筐１の一端または中間上方位置の供給部２から該供給部２の他端側の排出部６へ供給された搬送物を搬送する搬送コンベア７を設け、該搬送コンベア７のチェン１３を掛け回す従動スプロケット８は、前記機筐１に対して前後移動自在のテンション調節機構Ｔの一対の前後移動板１７に従動軸９により取付け、前記一対の前後移動板１７には前記従動スプロケット８の後方および下方に所定間隔を置いて位置して前記搬送コンベア７の搬送する穀粒を案内する左右方向の穀粒案内部３０を共に移動するように取付け、前記穀粒案内部３０は、前記従動スプロケット８の後方および下方に所定間隔を置いて位置する左右方向の円弧状の穀粒案内板部３１と、該穀粒案内板部３１の左右側に機筐１の機筐側板１５の内面と平行に設けた取付板部３２とにより構成し、前記穀粒案内板部３１の上部に全幅に渡って上部ガイド部３８を設け、該上部ガイド部３８は前記機筐１の内側上面に当接する上面３８Ａと該上面３８Ａに続いて前記穀粒案内板部３１の上部に一体状に連設する縦面３８Ｂとにより構成し、前記上部ガイド部３８の前記上面３８Ａおよび縦面３８Ｂの左右両側には前記取付板部３２を一体状に連設し、前記穀粒案内部３０の案内部下縁３３を前記機筐１の機筐底板３４に当接させると共に、前記上部ガイド部３８の上面３８Ａを前記機筐１の内側上面に当接させた横送り搬送装置としたものであるから、穀粒案内部３０の一部または全部が移動による捻じれ湾曲変形を抑制あるいは防止する。
本発明は、前記穀粒案内部３０の各取付板部３２の取付板部下縁３７は機筐１の機筐底板３４の上面に当接させた横送り搬送装置としたものであるから、穀粒案内部３０の全体剛性を向上させ、チェン１３のテンション調節に伴う移動の際、変形や捻じれの発生を抑制あるいは防止する。
本発明は、前記穀粒案内部３０は、前記上部ガイド部３８の前記上面３８Ａおよび縦面３８Ｂの左右両側を前記取付板部３２と一体状に連設して、前記穀粒案内板部３１と前記取付板部３２と上部ガイド部３８とにより箱形状に形成した横送り搬送装置としたものであるから、穀粒案内部３０の全体剛性を向上させ、移動の際の抵抗が分散して円滑に移動し、変形や捻じれの発生を抑制あるいは防止する。
本発明は、前記穀粒案内部３０は、穀粒案内板部３１と前記取付板部３２と上部ガイド部３８とにより箱形状に形成すると共に、前記取付板部３２は前記機筐側板１５の内面に摺接するように構成した横送り搬送装置としたものであるから、一層、穀粒案内部３０の全体剛性を向上させ、移動の際の抵抗が分散して円滑に移動し、変形や捻じれの発生を抑制あるいは防止し、また、組立を容易にして組立精度も向上させる。
本発明は、前記穀粒案内部３０は、前記従動スプロケット８の後方および下方に所定間隔を置いて位置する左右方向の穀粒案内板部３１の左右側に機筐１の機筐側板１５と平行な取付板部３２を設けて形成し、該取付板部３２の前記従動軸９を基準に上下二か所には前記前後移動板１７に係合する連動ピン３５を設けた横送り搬送装置としたものであるから、連動ピン３５は穀粒案内部３０と前後移動板１７の移動案内するガイド体を兼用させ、部品点数および組立工数を少なくして、コストを低くする。
【図面の簡単な説明】
【図１】横送り搬送装置の側面図。
【図２】従動スプロケット部分の側面図。
【図３】同断面図。
【図４】Ａ−Ａ断面図。
【図５】穀粒案内部の斜視図。
【図６】従動スプロケット部分の横断平面図。
【図７】Ｂ−Ｂ断面図。
【符号の説明】
１…機筐１、２…供給部、５…落口、６…排出部、７…搬送コンベア、８…従動スプロケット、９…従動軸、１０…駆動スプロケット、１１…駆動軸、１２…搬送体、１３…チェン、１５…機筐側板、１８…軸受部材、１７…前後移動板、１６…従動軸案内長孔、２０…案内部材、１９…案内溝、２５…調節螺子軸、２７…取付部、３０…穀粒案内部、３１…穀粒案内板部、３２…取付板部、３５…連動ピン、３６…ガイド案内用長孔、３４…機筐底板、３３…案内部下縁、３７…取付板部下縁、３８…上部ガイド部、３９…天板。
【図１】
0003605587.tif 000002
【図２】
0003605587.tif 000003
【図３】
0003605587.tif 000004
【図４】
0003605587.tif 000005
【図５】
0003605587.tif 000006
【図６】
0003605587.tif 000007
【図７】
0003605587.tif 000008